(57)【要約】【課題】犬の糞を取る場合、糞の取り残しやビニールに入った糞をそのままゴミとして出すなど、環境衛生上問題があった。器具は連続使用が難しく器具の洗浄が必要であったり、糞取りに必要な物を迅速に器具に取り付けることが難しい物があった。従来の糞取り器具は高価であったり、構造が複雑で取り扱い難い器具もあった。また市販されている犬の糞取り袋はランニングコストが掛かったり、糞を取る際の不快感があった。本発明は糞の取り残しがなく、糞の処理も衛生的にでき、安価で取り扱いが容易な犬の糞取り器を提供する。【手段】引き伸ばし可能な持ち手の先方を受け部とし、受け部の前方と後方に把持部を設ける。【選択図】図１
2017060454.tif 000002
【特許請求の範囲】
【請求項１】
引き伸ばし可能な持ち手（１）の先方を受け部（２）とし、受け部（２）の前方と後方にビニールと水溶性の紙を同時に留め置く把持部（３）を設けた犬の糞取り器。
【請求項２】
受け部（２）の縁は、受け部（２）の底面よりもやや高い位置まで反り返ることにより、糞の確保を確実にする請求項１の犬の糞取り器。
【発明の詳細な説明】
【技術分野】
【０００１】本発明は犬の糞取り作業を簡単かつ衛生的に処理でき、しかも糞取り器の購入及び維持費を安価にすることができる、簡易型犬糞取り器に関するものである。
【背景技術】
【０００２】従来、犬の糞を取る場合は、一旦地面に糞を落としその後にシャベルや専用器具を使用して糞をすくい取る、あるいは挟み取る方法がとられていた。さらにこの専用器具にビニール等を取り付けて、糞の持ち運びを容易にする物もあった。
一方、糞が地面に落ちる前に器具で糞を受け取る方法もとられていた。この場合も前述したものと同様に、この器具にビニール等を取り付けて糞の持ち運びを容易にする物があった。
なおこれらの様に器具にビニールを取り付けて使用することで、糞の持ち運びのみならず糞の処理も容易に出来る。
【先行技術文献】
【０００３】
【特許文献１】特開２００５−２６１３７２号公報
【特許文献２】特開２００７−０６８４８３号公報
【特許文献３】特開２０１４−０８３０４８号公報
【発明の概要】
【発明が解決しようとする課題】
【０００４】従来の犬の糞取り器は次のような欠点があった。
（イ）、一旦糞を下に落とした後に器具で糞を取る方法だと、地面に糞が付着し取り残しが発生してしまうため環境衛生上問題があった。
（ロ）、また一旦糞を下に落とした後に器具で糞を取る方法だと、器具に糞が付着し連続使用が難しく、器具の洗浄が必要となる場合があり面倒だった。
（ハ）、糞が地面に落ちる前に器具で糞を受け取る方法では、ビニール等の取り付けが面倒なものがあった。
（二）、器具にビニールを取り付け糞が地面に落ちる前に器具で糞を取る方法や、一旦地面に糞を落とした後にビニールを取り付けた器具で糞を取る方法では、ビニールに入った糞をそのままゴミとして出すことになり環境衛生上問題があった。
（ホ）、糞が地面に落ちる前に器具で糞を受け取る方法で、糞をトイレに流して処理をするためにビニールと水溶性の紙（トイレットペーパーなどの水に溶ける紙）を併せて使用する際に、ビニールに水溶性の紙を固定することが難しく、風や雨の中で使用すると水溶性の紙が捲れ上がったり飛んでいってしまうことがあるため、使用が困難になることがあった。
（ヘ）、水分過多の糞や雨の日などに一旦糞を地面に落とした後に器具で糞を取る方法だと殆ど糞を取ることが出来ない。また糞が地面に落ちる前に器具で糞を受け取る方法でも、器具の受け部から糞が地面に流れ落ちることがあった。
（ト）、一旦糞を地面に落とした後に、ビニールと水溶性の紙を併せて使用する袋を手に被せて手で掴んで糞を取る際に、糞の温かみや感触などで不快感がある。またこの袋は市販されているが、一袋あたりのコストが高くランニングコストがかかっていた。
（チ）、従来の糞取り器具は比較的高価であったり、構造が複雑であったり、重く扱い難い器具もあり、糞取り器具の購入を躊躇したり器具の使用を止めてしまう場合があった。
本発明は、以上の問題点を解決するために発明されたものである。
【発明が解決するための手段】
【０００５】  引き伸ばし可能な持ち手（１）の先方を受け部（２）とし、受け部（２）の前方と後方に把持部（３）を設ける。
以上の構成よりなる犬の糞取り器。
【発明の効果】
【０００６】  本発明を使用することによって、糞が地面に落ちる前に糞を受け取るれるようにしたため糞の取り残しがなくなることと、糞の後処理が衛生的に実施できるため環境衛生を保つことができることと、使用した器具の洗浄などの手間を省くことができる。
また本発明は、ビニールと水溶性の紙を併せて迅速にセットし使用できるようにしたため、糞の状態や天候に左右されることなく前述した条件を満たすことができる。
さらに本発明は、取り扱い易く安価なためペット愛好者の使用が増加し、環境衛生とペット愛好者の認知度が向上することが期待できる。
【図面の簡単な説明】
【０００７】
【図１】本発明の斜視図
【図２】本発明のセット状態を示す斜視図
【図３】本発明のセット状態を示す断面図
【図４】本発明の使用状態を示す斜視図
【図５】本発明の使用状態を示す断面図
【図６】本発明の持ち手の引き伸ばし状態を示す斜視図
【発明を実施するための形態】
【０００８】  以下、本発明の実施の形態を説明する。
（イ）、持ち手（１）の先方に、周囲の端部に反り返りを有した受け部（２）を設け、受け部（２）の前方と後方に把持部（３）を設ける。
（ロ）、受け部（２）にビニール袋（４）と水溶性の紙（５）をセットした際に、上方からビニール袋（４）と水溶性の紙（５）を把持部（３）に押圧し、ビニール袋（４）と水溶性の紙（５）を把持部（３）に保持する。
（ハ）、持ち手（１）を折りたたみ又は引き伸ばし可能とし、持ち手（１）の長さを延長可能とする。
本発明は以上の構成よりなる。
本発明は以上の構成からなるので本発明を使用する場合は、受け部（２）の前方よりビニール袋（４）を差し込み、受け部（２）全体を覆う。この状態の受け部（２）に水溶性の紙（５）を載せる。、受け部（２）の前方と後方にある把持部（３）に対して、指で上方から力を加え、ビニール袋（４）と水溶性の紙（５）を同時に把持部（３）に保持させ、セットする。
糞を取るときは、ビニール袋（４）と水溶性の紙（５）を同時に把持部（３）にセットされた受け部（２）で糞（６）を受け取る。
受け部（２）のビニール袋（４）の端を反しながら、受け部（２）の後方から前方に向って、ビニール袋（４）と水溶性の紙（５）と糞（６）を一緒に受け部（２）から引き抜く。引き抜かれた後の受け部（２）に前述した手順により、ビニール袋（４）と水溶性の紙（５）を把持部（３）にセットし、次の糞取りの準備をしておく。
水溶性の紙（５）と糞（６）が入ったビニール袋（４）を持ち帰り、水洗トイレ等に水溶性の紙（５）と糞（６）を落とし入れ、水溶性の紙（５）と糞（６）を処理する。残ったビニール袋（４）はゴミとして処理する。
また糞を取る際に、糞の近くに顔を近づけたくないまたは、身体上の理由によりしゃがむ体勢がとれない場合は持ち手（１）を延長させ、立ったままの状態で糞を取ることができる。
【符号の説明】
【０００９】    １  持ち手
２  受け部
３  把持部
４  ビニール袋
５  水溶性の紙
６  犬の糞
【図１】
2017060454.tif 000003
【図２】
2017060454.tif 000004
【図３】
2017060454.tif 000005
【図４】
2017060454.tif 000006
【図５】
2017060454.tif 000007
【図６】
2017060454.tif 000008